(57)【要約】取付具において使用するためのアダプタを有する取付具装置であって、この取付具は、取付具本体、および本明細書中に記載されるような通常使用される特定の直径のナットを使用し、一方で、把持能力を維持する。このアダプタは、この本体に対して効果的に密封し、同時に金輪による係合のための浅くないカム口を提供するリングである。これらの部品のこの組み合わせにより、効果的なチューブの把持、流体密封、および振動保護が可能になる。
2007510871.tif 000002
【特許請求の範囲】
【請求項１】
チューブの端部との接続のためのチューブ取付具であって、該チューブ取付具は、以下：
該チューブの端部を受容するためのチューブソケットを有する取付具本体であって、該取付具本体は、テーパ状の表面を備え、該テーパ状の表面は、該取付具本体の軸上で中心合わせされ、該テーパ状の表面は、該軸に対して、第一の角度で延びる、取付具本体；
前部および後部を有する金輪；
アダプタリング；ならびに
原動節であって、該原動節は、該金輪の後部に軸方向の力を付与して、該金輪の前部を移動させ、該アダプタリングと係合させるためのものである、原動節、
を備え、
該アダプタリングは、カム表面を有し、該カム表面は、該金輪の前部による係合のために、該軸に対して第二の角度で延び；
該アダプタリングは、該取付具が組み立てられると、該取付具本体と密封状態で係合し；
該アダプタリングは、該チューブに対して負のすくい角を有する前方内側部分を有する、
チューブ取付具。
【請求項２】
前記アダプタリングと前記取付具本体との密封状態での係合が、金属と金属との係合である、請求項１に記載のチューブ取付具。
【請求項３】
前記第一の角度が、約３０°以下である、請求項１に記載のチューブ取付具。
【請求項４】
前記第一の角度が、約１０°〜約１４°の範囲である、請求項１に記載のチューブ取付具。
【請求項５】
前記第一の角度が、１２°である、請求項４に記載のチューブ取付具。
【請求項６】
前記第一の角度が、約１８°〜約２２°の範囲である、請求項３に記載のチューブ取付具。
【請求項７】
前記第一の角度が、２０°である、請求項６に記載のチューブ取付具。
【請求項８】
前記第二の角度が、約４３°〜約４７°の範囲である、請求項３に記載のチューブ取付具。
【請求項９】
前記第二の角度が、４５°である、請求項８に記載のチューブ取付具。
【請求項１０】
前記第一の角度が、１２°または２０°であり、そして前記第二の角度が、４５°である、請求項２に記載のチューブ取付具。
【請求項１１】
前記金輪と前記原動節との間に、第二の金輪を備える、請求項１に記載のチューブ取付具。
【請求項１２】
前記テーパ状の表面が、前記チューブソケットに隣接している、請求項１に記載のチューブ取付具。
【請求項１３】
前記アダプタリングの前記前方内側部分が、半径を有する、請求項１に記載のチューブ取付具。
【請求項１４】
前記アダプタリングの前記前方内側部分が、面取りを備える、請求項１に記載のチューブ取付具。
【請求項１５】
前記アダプタリングの前記前方内側部分が、半径および面取りを備える、請求項１に記載のチューブ取付具。
【請求項１６】
チューブの端部との接続のためのチューブ取付具であって、該チューブ取付具は、以下：
該チューブの端部を受容するためのチューブソケットを有する取付具本体であって、該取付具本体は、テーパ状の表面を備え、該テーパ状の表面は、該取付具本体の軸上で中心合わせされ、該テーパ状の表面は、該軸に対して第一の角度で延びる、取付具本体；
前部および後部を有する金輪：
アダプタリング；ならびに
原動節であって、該原動節は、該金輪の後部に軸方向の力を付与して、該金輪の前部を移動させ、該アダプタリングと係合させるためのものである、原動節、
を備え、
該アダプタリングは、該軸に対して第二の角度で延びるカム表面を有し、該第二の角度は、該第一の角度とは異なり；
該アダプタリングは、該取付具本体の該テーパ状の表面から間隔を空けた密封位置において該取付具本体と係合するための、シーリング表面を有する、
チューブ取付具。
【請求項１７】
前記取付具本体の前記密封位置が、該取付具本体の端面である、請求項１６に記載のチューブ取付具。
【請求項１８】
前記取付具本体の前記端面が、前記軸に対して実質的に垂直に延び、そして前記原動節の方へと提供される、請求項１６に記載のチューブ取付具。
【請求項１９】
前記取付具本体の前記密封位置が、該取付具本体の縁部である、請求項１６に記載のチューブ取付具。
【請求項２０】
前記第一の角度が、約１２°〜約２０°の範囲であり、そして前記第二の角度が、約４３°〜約４７°の範囲である、請求項１６に記載のチューブ取付具。
【請求項２１】
前記第一の角度が、約１０°〜約１４°の範囲である、請求項２０に記載のチューブ取付具。
【請求項２２】
前記第一の角度が、１２°である、請求項２１に記載のチューブ取付具。
【請求項２３】
前記第一の角度が、約１８°〜約２２°の範囲である、請求項２０に記載のチューブ取付具。
【請求項２４】
前記第一の角度が、２０°である、請求項２３に記載のチューブ取付具。
【請求項２５】
前記第二の角度が、４５°である、請求項２４に記載のチューブ取付具。
【請求項２６】
前記第一の角度が、１２°または２０°であり、そして前記第二の角度が、４５°である、請求項１６に記載のチューブ取付具。
【請求項２７】
前記アダプタリングが、前方内側部分を有し、該前方内側部分は、前記チューブに対して負のすくい角を有する、請求項１６に記載のチューブ取付具。
【請求項２８】
前記アダプタリングの前記前方内側部分が、半径を有する、請求項２７に記載のチューブ取付具。
【請求項２９】
前記アダプタリングの前記前方内側部分が、面取りを備える、請求項２７に記載のチューブ取付具。
【請求項３０】
前記アダプタリングの前記前方内側部分が、半径および面取りを備える、請求項２７に記載のチューブ取付具。
【請求項３１】
前記取付具本体が、角部を有し、該角部は、前記アダプタリングによって、密封状態の係合で係合される、請求項１６に記載のチューブ取付具。
【請求項３２】
前記アダプタリングが、ノーズ部分を有し、該ノーズ部分は、前記テーパ状の表面の半径方向内向きに延び、そして該テーパ状の表面と、密封状態の係合で係合する、請求項１６に記載のチューブ取付具。
【請求項３３】
前記取付具本体が、半径方向に延びる背面を有し、そして前記アダプタリングが、半径方向に延びる前面を有し、該前面は、該取付具本体の該背面に対して密封する、請求項１６に記載のチューブ取付具。
【請求項３４】
チューブの端部との接続のためのチューブ取付具であって、該チューブ取付具は、以下：
該チューブの端部を受容するためのチューブソケットを有する取付具本体であって、該取付具本体は、テーパ状の表面を備え、該テーパ状の表面は、該取付具本体の軸上で中心合わせされ、該テーパ状の表面は、該軸に対して第一の角度で延びる、取付具本体；
前部および後部を有する金輪；
アダプタリング；ならびに
原動節であって、該原動節は、該金輪の後部に軸方向の力を付与して、該金輪の前部を移動させ、該アダプタリングと係合させるためのものである、原動節、
を備え、
該アダプタリングは、該金輪の前部による係合のための、該軸に対して第二の角度で延びるカム表面を有し；
該アダプタリングは、該取付具が組み立てられると、該取付具本体と密封状態で係合し；
該アダプタリングは、該チューブに対して負のすくい角を有する前方内側部分を有する、
チューブ取付具。
【請求項３５】
前記アダプタリングの前記前方内側部分が、半径を有する、請求項３４に記載のチューブ取付具。
【請求項３６】
前記アダプタリングの前記前方内側部分が、面取りを備える、請求項３４に記載のチューブ取付具。
【請求項３７】
前記アダプタリングの前記前方内側部分が、半径および面取りを備える、請求項３４に記載のチューブ取付具。
【請求項３８】
前記第一の角度が、約３０°以下である、請求項３４に記載のチューブ取付具。
【請求項３９】
前記第一の角度が、約１２°〜約２０°の範囲である、請求項３８に記載のチューブ取付具。
【請求項４０】
前記第二の角度が、約４３°〜約４７°の範囲である、請求項３９に記載のチューブ取付具。
【請求項４１】
前記第二の角度が、４５°である、請求項３８に記載のチューブ取付具。
【請求項４２】
前記金輪と前記取付具本体との間に、第二の金輪を備える、請求項３４に記載のチューブ取付具。
【請求項４３】
チューブ取付具において使用するためのアダプタリングであって、該チューブ取付具は、チューブの端部を受容するためのチューブソケットを有する第一の連結部材を備え、該第一の連結部材は、テーパ状の表面を備え、該テーパ状の表面は、該第一の連結部材の軸上で中心合わせされ、そして該軸に対して第一の角度で延び、該チューブ取付具はまた、前部と後部とを有する金輪を備え、該チューブ取付具はまた、第二の連結部材を備え、該第二の連結部材は、該金輪の後部に軸方向の力を付与して、該金輪の前部を該第一の連結部材の方へと移動させるためのものであり、該アダプタリングは、以下：
該金輪の該前部による係合のためのカム表面であって、該カム表面は、該軸に対して、該第一の角度とは異なる第二の角度で延びる、カム表面、
を備え、
該アダプタリングは、該取付具が組み立てられると、該取付具本体と密封状態で係合し；
該アダプタリングは、該チューブに対して負のすくい角を有する前方内側部分を有する、
アダプタリング。
【請求項４４】
前記アダプタリングの前記前方内側部分が、半径を有する、請求項４３に記載のチューブ取付具。
【請求項４５】
前記アダプタリングの前記前方内側部分が、面取りを備える、請求項４３に記載のチューブ取付具。
【請求項４６】
前記アダプタリングの前記前方内側部分が、半径および面取りを備える、請求項４３に記載のチューブ取付具。
【請求項４７】
前記第一の角度が、約１２°〜約２０°の範囲であり、そして前記第二の角度が、約４５°である、請求項４３に記載のアダプタリング。
【請求項４８】
前記第一の角度が、１２°または２０°であり、そして前記第二の角度が、４５°である、請求項４７に記載のチューブ取付具。
【請求項４９】
前記アダプタリングと前記取付具本体との前記密封状態の係合が、金属と金属との係合である、請求項４３に記載のチューブ取付具。
【請求項５０】
前記第一の連結部材上のテーパ状の表面が、前記チューブソケットに隣接している、請求項４３に記載のチューブ取付具。
【請求項５１】
チューブの端部との接続のためのチューブ取付具であって、該チューブ取付具は、以下：
該チューブの端部を受容するためのチューブソケットを有する第一の連結部材であって、該第一の連結部材は、テーパ状の表面を備え、該テーパ状の表面は、該第一の連結部材の軸上で中心合わせされ、該テーパ状の表面は、該軸に対して第一の角度で延びる、第一の連結部材；
前部および後部を有する金輪；
アダプタリング；ならびに
第二の連結部材であって、該第二の連結部材は、該金輪の後部に軸方向の力を付与して、該金輪の前部を移動させ、該アダプタリングと係合させるためのものである、第二の連結部材、
を備え、
該アダプタリングは、該軸に対して第二の角度で延びる、カム表面を有し、該第二の角度は、該第一の角度とは異なり；
該アダプタリングは、該取付具が組み立てられると、該取付具本体と密封状態で係合し；
該アダプタリングは、該チューブに対して負のすくい角を有する前方内側部分を有する、
チューブ取付具。
【請求項５２】
前記アダプタリングと前記第一の連結部材との密封状態での係合が、金属と金属との係合である、請求項５１に記載のチューブ取付具。
【請求項５３】
前記第一の角度が、約３０°以下である、請求項５１に記載のチューブ取付具。
【請求項５４】
前記第一の角度が、約１２°〜約２０°の範囲である、請求項５３に記載のチューブ取付具。
【請求項５５】
前記第二の角度が、約４３°〜約４７°の範囲である、請求項５４に記載のチューブ取付具。
【請求項５６】
前記第二の角度が、４５°である、請求項５３に記載のチューブ取付具。
【請求項５７】
前記金輪と前記第二の連結部材との間に、第二の金輪を備える、請求項５１に記載のチューブ取付具。
【発明の詳細な説明】
【技術分野】
【０００１】
本願は、２００３年１１月３日に出願された、米国仮出願番号６０／４８１，５９３（その全開示は、参考として援用される）の出願日の利益を主張する。
【０００２】
（発明の技術分野）
本発明は、一般に、パイプとチューブとのための取付具の分野に関する。より具体的には、本発明は、浅い角度でテーパ付けされた表面を有する取付具本体、およびチューブ把持デバイス（例えば、金輪またはチューブ把持リング）を備える、広がり部分がない取付具に関する。
【０００３】
本願は、２００２年２月６日に出願された、「ＴＵＢＥ  ＦＩＴＴＩＮＧ  ＦＯＲ  ＳＴＡＩＮＬＥＳＳ  ＳＴＥＥＬ  ＴＵＢＩＮＧ」に関する国際特許出願番号ＰＣＴ／ＵＳ０２／０３４３０の全開示を、参考として援用する。
【背景技術】
【０００４】
（発明の背景）
いくつかの公知のチューブ取付具は、寸法または構成が少なくとも部分的に標準化され、従って、共通して使用される部品を使用する。例えば、多くの取付具本体は、浅い（１２°または２０°の）カム口またはテーパ状の表面を有し、このカム口またはテーパ状の表面は、例えば、金輪がナットによって締め付けられる場合の、この金輪による係合のためのものである。多くのナットは、そのドライブ面において、４５°の角度を有する。このドライブ面は、この金輪に接触して、この金輪を、本体のカム口に押し付けて駆動する。この本体の１２°のカム角度の緩やかな性質は、この金輪をチューブ表面に包埋して把持を提供することに貢献する。しかし、この１２°の角度は、この金輪とこの本体との間の良好な密封を確立することには貢献しない。従って、把持の機能と密封の機能とは、しばしば、このような部品を使用する取付具において、互いに両立しない。この密封機能は、しばしば、この取付具にエラストマーシール要素を追加することによって、増強される。エラストマー密封要素を使用する取付具は、一般に、効果的に密封するが、これらの取付具は、いくつかの欠点を有し得る。例えば、このエラストマー（非金属）要素の存在に起因して、温度制限が、この取付具に対して定められ得る。エラストマーシール要素と特定のシステム流体との間に、不適合性が存在し得る。さらに、取付具の組み立ての間に、シールのクリップ止めまたは損傷が起こり得るか、あるいはこのシール要素は、取付具の組み立ての前に、落ちたり紛失されたりし得る。
【発明の開示】
【課題を解決するための手段】
【０００５】
（発明の要旨）
本発明は、上記のような、通常使用される特定の寸法の取付具本体およびナットを使用する取付具の密封能力を改善し、同時に把持能力を維持することに関する。このことは、本体に対して、金属から金属への様式で効果的に密封する、金属アダプタリングを提供し、一方で、金輪による係合のための、浅くないカム口を提供することによって、達成される。この部品の組み合わせは、効果的なチューブの把持、流体密封、および振動保護を可能にする。
【発明を実施するための最良の形態】
【０００６】
本発明のこれらおよび他の局面および利点は、添付の図面を考慮して、以下の好ましい実施形態の説明から、当業者に明らかになる。
【０００７】
（発明の詳細な説明）
多くのチューブ取付具において、金輪のノーズは、取付具本体の、浅い（例えば、１２°または２０°の）カム表面またはテーパ状の表面によって、チューブに向かって内向きに、そしてこのチューブ内へとカム動作される。この角度は、この金輪によるチューブの把持を行うために適切であるが、この金輪によって、この本体に対する密封を行うためには、最適ではない。他方で、より鋭利な（例えば、４５°の）カム角度は、この金輪による密封を行うために、より良好であり得るが、必要とされる把持を提供する際には、効果が低くあり得る。本発明は、例示的な（しかし限定ではない）実施形態を参照して以下に記載されるように、この問題に取り組む。
【０００８】
図１〜４は、本発明に従う、異なるチューブ取付具４００、４００ａ、４００ｂ、および４００ｃを図示する。これらの種々の取付具４００〜４００ｃは、異なる特徴および特徴の組み合わせを備える。本発明に従うチューブ取付具は、これらの特徴の１つ以上を、様々な組み合わせで備え得る。
【０００９】
１つの代表的な実施形態を示すと、図１は、チューブ４１０を本体４２０に接続する際に使用するための、本発明に従うチューブ取付具４００を図示する。取付具４００は、原動節または駆動ナット４４０、アダプタリング４５０、および金輪３０２を備える。本体４２０および駆動ナット４４０は、何らかの「標準的な」特徴または寸法を有し得る。すなわち、以下に記載されるような、いくつかの取付具に対して共通して見出される特徴または局面であり得る。
【００１０】
チューブ４１０は、図示されるように、軸４１４上で中心合わせされた、円筒形の側壁４１２を備える。側壁４１２は、チューブ４１０内の流体流路４１６を規定する。チューブ側壁４１２は、軸４１４上で中心合わせされた、円筒形の外側表面４１８を有する（本明細書中において使用される場合、用語「チューブ」は、異なる様々な直径の、中空の円筒形パイプを網羅することが意図され、チューブ、パイプ、および導管として通常公知であるものを包含する）。
【００１１】
本体４２０は、軸上で中心合わせされた、円筒形の内側表面４２２を有する。表面４２２は、ボアまたはチューブソケット４２４を規定し、この中に、チューブ４１０の端部が受容される。本体４２０は、以下に記載されるように、ナット４４０との係合のための、おねじ渦巻き４２６を有する。取付具４００は、本体４２０とチューブ４１０との間を密封するように、そしてこのチューブがこの本体内のボア４２４から出ないようにこれらを互いに固定するように、適合される。
【００１２】
本体４２０は、環状の端面または背面４２８を有し、この面は、ねじ切りされた渦巻き４２６から半径方向内向きに延びる。本体４２０はまた、切頭円錐形のカム表面またはテーパ状の表面４３０を有し、この表面は、内側表面４２２と端面４２８との間に延びる。このカム表面４３０は、軸４１４に対して、ある角度で延びる。１つの例示的な実施形態において、示されるように、カム表面４３０は、軸４１４に対して、約１２°の角度で延びる。カム表面４３０は、軸４１４に向かって半径方向内向きに提供され、そして駆動ナット４４０に向かう方向で軸方向に提供される。カム表面４３０は、表面４２２に隣接して位置し、そして本体４２０のカム口４３２を規定する。このカム口は、チューブソケット４２４に隣接して位置する。本体４２０は、カム表面４３０と端面４２８との交線において、縁部４３４を有する。
【００１３】
原動節またはナット４４０は、軸４１４上で中心合わせされた、第一の円筒形表面または内側表面４４２を備える。表面４４２は、ボア４４４を規定し、このボアを通って、チューブ４１０が延びる。内側表面４４２から半径方向外向きに、この表面から軸方向に間隔を空けた位置において、ナット４４０は、本体４２０上のおねじ４２６との係合のための、めねじ渦巻き４４６を有する。
【００１４】
ナット４４０は、切頭円錐形の駆動表面または駆動面４４８を有し、この面は、内側表面４４２とめねじ４４６との間で、半径方向および軸方向に延びる。駆動面４４８は、軸４１４に対してある角度で延び、そしてこの軸に向かって半径方向に、かつ本体４２０に向かって軸方向に提供される。図１に示される実施形態において、駆動面４４８は、軸４１４に対して約４５°の角度で延びる。ナットの駆動角度は、４５°以外であってもよい。
【００１５】
アダプタリング４５０および金輪３０２は、ナット４４０の駆動面４４８と、本体４２０との間の空間に位置する。アダプタリング４５０は、金輪３０２と同じ材料から作製され得るが、このことは必須ではない。
【００１６】
アダプタリング４５０は、図１に示される実施形態において、半径方向外側の部分４５２および半径方向内側の部分４５４を有し、これらの部分は、ネック部４５６によって連結される。アダプタリング４５０の外側部分４５２は、円筒形の外側表面４５８を有し、この外側表面は、軸４１４に対して平行に延びる。リング４５０の外側部分４５２は、環状の背面４６０を有し、この背面は、外側表面４５８の背面から半径方向内向きに、外側表面および軸４１４に対して垂直な方向で延びる。背面４６０は、ナット４４０に向かう方向で、軸方向に提供される。
【００１７】
リング４５０の外側部分４５２はまた、環状の前面４６２を有し、この前面は、外側表面４５８の前端から半径方向内向きに、外側表面および軸４１４に対して垂直な方向で延びる。前面４６２は、本体４２０の端面４２８に向かう方向で、軸方向に提供される。図１に示される、特定のアダプタリング４５０において、前面４６２は、背面４６０より大きい半径方向範囲（例えば、背面の半径方向範囲の２倍）を有する。
【００１８】
アダプタリング４５０は、カム表面４６４を有し、このカム表面は、軸４１４に向かって半径方向内向きに提供され、そしてまた、取付具の後方に向かって軸方向に、ナット４４０の駆動面４４８に向かう方向で提供される。カム表面４６４は、軸４１４に対してある角度で延び、この角度は、図１に図示される実施形態において、約４５°の角度である。
【００１９】
アダプタリング４５０の内側部分４５４は、円筒形の内側表面４６６を有し、この内側表面は、軸４１４に対して平行に延びる。内側表面４６６は、ボア４６８を規定し、このボア内に、チューブ４１０がスライド可能に受容される。内側表面４６６は、取付具４００が組み立てられる前は、チューブ４１０の外側表面４１８の上に重なり、そしてこの表面から間隔を空けている。アダプタリング４５０は、内側表面４６６とカム表面４６４との交線において、縁部４７０を有する。
【００２０】
リング４５０の内側部分４５４は、環状の前面４７２を有し、この前面は、内側表面４６６から半径方向外向きに、内側表面および軸４１４に対して垂直な方向で延びる。前面４７２は、本体４２０のカム口４３２に向かう方向で、軸方向に提供される。このリングの内側部分４５４の前面４７２は、取付具４００内で、さらに前方にある。すなわち、この前面は、このリングの外側部分４５２の前面４６２が位置するよりも、本体４２０に近く、そしてナット４４０から遠くに位置する。面取りが、表面４６２および表面４７２によって規定される縁部を破壊する。
【００２１】
アダプタリング４５０の内側部分はまた、係合表面４７４を有し、この係合表面は、このリングの内側部分４５４の前面４７２と、このリングの外側部分４５２の前面４６２との間に延びて相互接続する。係合表面４７４は、単一の、凹状もしくは平坦な表面であり得るか、または一連の、凹状もしくは平坦な表面であり得るか、あるいは種々の型の表面の組み合わせであり得る。係合表面４７４は、アダプタリング４５０のネック部４５６におよび、内側部分４５４の前面４７２と、外側部分４５２の前面４６２との間に延びる。係合表面４７４は、本体４２０に向かって、そして具体的には、この本体の縁部４３４に向かって提供される。アダプタリング４５０の反対側では、アダプタリング４５０のカム表面４６４が、このアダプタリングのネック部４５６にまたがり、内側表面４６６と、外側部分４５２の背面４６０との間に延びる。
【００２２】
アダプタリング４５０の寸法は、半径方向内側の部分４５４が、本体４２０のカム口４３２内に移動し得、一方で、半径方向外側の部分４５２は移動し得ないように、選択される。具体的には、アダプタリング４５０の、本体４２０のカム口４３０に向かう軸方向での動きが、以下に記載されるように、本体４２０とのアダプタリング係合表面４７４（または前面４６２）との係合によって、ブロックされる。
【００２３】
取付具４００が組み立てられる場合、ナット４４０が、本体４２０に締め付けられ、そしてこの本体の方へと軸方向に（図１で見られる場合、左の方向に）移動する。ナットの４５°の駆動面４４８は、金輪３０２の後部壁３２４と係合する。金輪３０２は、アダプタリング４５０と係合するまで、前方に駆動される。金輪３０２のノーズ３１０は、アダプタリング４５０の４５°の背面４６４と係合する。
【００２４】
アダプタリング４５０は、本体４２０と係合するまで、金輪３０２によって前方に動かされる。アダプタリング４５０の係合表面４７４は、本体４２０の縁部４３４と係合して、このアダプタリングの止めとして働く。この係合は、アダプタリング４５０の、本体４２０に向かうあらゆるさらなる実質的な移動をブロックし、そしてナット４００に対するトルクを感知することによって感知され、十分な止めを決定し得る。アダプタリング４５０は、金輪３０２と本体４２０との間に捕捉され、そしてこの金輪は、アダプタリングとナット４４０との間に捕捉される。
【００２５】
アダプタリング４５０の内側部分４５４は、本体４２０のカム口４３２内で、カム表面４３０の半径方向内側であるがカム表面と係合しないように位置する。あるいは、アダプタリング４５０は、カム表面４３０と係合し得る。アダプタリング４５０の外側部分４５２は、本体４２０のカム表面４３０の半径方向外向きに、そしてこの本体の端面４２８とナット４４０の駆動面４４８との間で軸方向に位置する。
【００２６】
ナット４４０がさらに締め付けられるにつれて、金輪３０２は、圧縮され、そして可塑変形し、そしてアダプタリング４５０およびチューブ４１０と把持および密封係合するように、駆動される。金輪３０２は、ヒンジおよび／またはコレットであり得、そしてアダプタリング４５０の比較的鋭利な４５°のカム角度で使用するためにより適切にするために、硬くされ得る。
【００２７】
この金輪のノーズ３１０は、本体４２０の１２°のカム表面４３０とではなく、アダプタリングの４５°のカム表面４６４と係合する。従って、金輪３０２のノーズ３１０は、１２°のカム表面によってではなく、４５°のカム表面によって、チューブ４１０の方へと半径方向内向きに、そしてこのチューブ内にカム作用される。
【００２８】
密封が、アダプタリング４５０の係合表面４７４と、本体４２０の縁部４３４との間に確立される。この密封は、チューブ４１０からの流体が、アダプタリング４５０の半径方向外側を通過することを防止する。この密封は、スライドする密封ではない。すなわち、金輪が取付具本体のカム表面にカム作用し、そしてこのカム表面上をスライドする場合に確立される型の密封ではない。逆に、アダプタリング４５０は、本体４２０に対する動きを能動的に止められ、従って、係合表面４７４は、この本体の縁部４３４に対して、固定された様式で密封する。アダプタリング４５０は、チューブ４１０に対して密封を確立しない。
【００２９】
別の密封が、金輪３０２のノーズ３１０と、アダプタリング４５０のカム表面４６４との間に確立される。第三の密封が、金輪３０２のノーズ３１０と、チューブ４１０との間に確立される。これらの密封は、一緒になって、取付具４００の所望の密封機能を提供し、流体が、このアダプタリングの半径方向内側を通過することを防止し得る。同時に、金輪３０２のノーズ３１０は、チューブ３１０の材料の内部に駆動されて、ほぼ円形のショルダー４７６を形成し、本体４２０のボア４２４からのチューブの取り外しをブロックし、従って、取付具４００の所望の把持機能を提供する。このアダプタリングの下側は、チュービングのチップが金輪ノーズによって巻き上がるための空間を与えるように構成され得る。従って、アダプタリング４５０の使用により、取付具４００は、１２°のカム表面を利用して、把持を増加させることをやめ得る。なぜなら、良好な把持が、このアダプタリングの４５°のカム表面によってチューブ内にカム作用される金輪３０２から、提供されるからである。
【００３０】
図２は、チューブ取付具４００と類似であるが、異なるアダプタリングを使用する、チューブ取付具４００ａを図示する。取付具４００ａは、本体４２０にチューブ４１０を連結する際に使用するために、同じ駆動ナット４４０および同じ金輪３０２を備える。取付具４００ａはまた、アダプタリング４５０ａを備え、このアダプタリングは、図１に示されるアダプタリング４５０とはわずかに異なる。具体的には、アダプタリング４５０ａにおいて、半径方向内側の部分４５４ａは、アダプタリング４５０内の半径方向内側部分４５４と異なる。また、アダプタリング４５０ａにおける係合表面４７４ａは、アダプタリング４００における係合表面４７４と異なる。
【００３１】
アダプタリング４５０ａの半径方向内側の部分４５４ａは、凸状の構成を有し、この構成は、本体４２０のカム表面４３０に向かって提供される、凸状の外側表面４７８を備える。凸状の外側表面４７８は、凹状の係合表面４７４ａに合わさり、この凹状の係合表面は、アダプタリング４５０ａの半径方向外側の部分４５２ａの前面４６２ａに合わさる。アダプタリング４５０ａの得られる構成は、「ウシの鼻」形状の内側部分４５４ａを備え、この形状は、依然として、本体４２０のカム口４３２に適合するが、これはまた、取付具４００ａが組み立てられると、この本体のカム表面４３０に係合するために十分に、半径方向外側に突出する。
【００３２】
駆動ナット４４０が、金輪３０２をアダプタリング４５０ａ内に押す場合、このアダプタリングは、図２に示されるように、本体４２０と係合するように押される。このアダプタリングの内側部分４５４ａの外側表面４７８は、本体４２０のカム表面４３０に打ち込まれて、この表面と堅固に係合する。アダプタリング４５０の外側部分４５２ａの前面４６２ａを半径方向に広げることによって、好ましくは、本体の端面４２８に係合し、止めを提供する。アダプタリング４５０ａの凹状の係合表面４７４ａは、本体４２０の縁部４３４と係合しても係合しなくてもよい。
【００３３】
図２に示される実施形態において、アダプタリング４５０ａは、金輪３０２と本体４２０との間に介在し、その結果、この金輪のノーズ３１０は、本体４２０の１２°のカム表面４３０ではなく、このアダプタリングの４５°のカム表面４６４ａと係合する。密封が、アダプタリング４５０ａの半径方向内側の部分４５４ａの凸状外側表面４７８と、本体４２０のカム表面４３０との間に確立される。別の密封が、金輪３０２のノーズ３１０と、アダプタリング４５０ａのカム表面４６４ａとの間に確立される。第三の密封が、金輪３０２のノーズ３１０と、チューブ４１０との間に確立される。これらの密封は、一緒になって、取付具４００ａの所望の密封機能を提供する。同時に、金輪３０２のノーズ３１０は、チューブ３１０の材料の内部に駆動されて、ほぼ円形のショルダー４７６を形成し、本体４２０からのこのチューブの取り外しをブロックし、従って、取付具４００ａの所望の把持機能を提供する。
【００３４】
図３は、取付具４００および４００ａと類似であるが、異なるアダプタリングを備えるチューブ取付具４００ｂを図示する。取付具４００ｂは、チューブ４１０を本体４２０に連結する際に使用するために、同じ駆動ナット４４０および同じ金輪３０２（短縮された後部壁３２４を有する）を備える。取付具４００ｂはまた、アダプタリング４５０ｂを備え、このアダプタリング４５０ｂは、図１に示されるアダプタリング４５０とも、図２に示されるアダプタリング４５０ａとも異なる。
【００３５】
アダプタリング４５０ｂは、外側部分４５２ｂを有し、この外側部分は、リング４５０および４５０ａのいずれかの外側部分より、軸方向に長い。アダプタリング４５０ｂの外側部分４５２ｂは、ノーズ部分４８０を備え、このノーズ部分は、前方に（本体４２０に向かう方向に）突出し、このリングの内側部分４５４ｂに重なり、そして表面４７４ｂを通って延びる。外側部分４５２ｂはまた、尾部４８２を備え、この尾部は、後方に（ナット４４０に向かう方向に）突出し、アダプタリング４５０の外側部分４５２（図１）よりも金輪３０２のかなり大きい部分に重なる（図示される実施形態においては、この金輪のほとんどを覆う）。
【００３６】
取付具４００ｂが組み立てられる場合、図３に示されるように、このアダプタリングのノーズ部分４８０は、本体４２０の端面４２８に係合して、このアダプタリングの移動に対する止めとして働く。この係合は、アダプタリング４５０ｂの、本体４２０に向かう方向での更なる移動を制限し、そしてこのアダプタリングとこの本体との間の密封を提供する。金輪３０２のノーズ３１０は、アダプタリング４５０ｂのカム表面４６４ｂと係合して、密封を提供し、そして上記のように、チューブ４１０内にカム作用されて把持し、そしてさらなる密封を提供する。
【００３７】
取付具４００ｂが組み立てられる場合、尾部４８２は、ナット４４０の駆動面４４８と係合して、止めとして働き、ナット４４０の、本体４２０に向かう方向での移動を制限する。このことは、トルク感知を提供し、取付具４００ｂの十分な止めを確実にする。
【００３８】
図４は、取付具４００、４００ａおよび４００ｂと類似であり、異なるアダプタリングおよび金輪を備える、チューブ取付具４００ｃを図示する。取付具４００ｃは、チューブ４１０を本体４２０に連結する際に使用されるために、同じ駆動ナット４４０を備える。取付具４００ｃはまた、アダプタリング４５０ｃを備え、このアダプタリング４５０ｃは、アダプタリング４５０、４５０ａ、および４５０ｂと異なる。取付具４００ｃはまた、金輪３０２ｃを備え、この金輪は、金輪３０２と異なる。
【００３９】
金輪３０２ｃの後部壁３２４ｃは、金輪３０２の後部壁３２４（図１）より遠くに、半径方向外向きに延びる。金輪３０２ｃの後部壁３２４ｃの止め表面４８０は、本体４２０に向かって提供される。
【００４０】
アダプタリング４５０ｃの外側部分４５２ｃは、尾部４８２ｃを備え、この尾部は、後方に（ナット４４０に向かう方向に）延び、アダプタリング４５０の外側部分４５２（図１）よりも金輪３０２のかなり大きい部分に重なる。アダプタリング４５０ｃの尾部４８２ｃは、止め表面４８６を備え、この止め表面は、ナット４４０および金輪３０２ｃの後部壁３２４ｃに向かって提供される。
【００４１】
アダプタリング４５０ｃの内側部分４５４ｃは、アダプタリング４５０の内側部分４５４（図１）と比較して、前方に向かって軸方向に細長い。アダプタリング４５０ｃの内側部分４５４ｃは、アダプタリング４５４ａのウシの鼻（図２）と同様に、本体４２０のカム口４３２内へと移動し、そしてこの本体のカム表面４３０と係合する。アダプタリング４５０ｃの内側部分４５４ｃは、本体４２０のテーパ状の表面４３０に対して密封する。アダプタリング４５０ｃの凹状の係合表面４７４ｃ、およびこのリングの外側部分４５２ｃの半径方向に延びる前面４６２ｃは、本体４２０の縁部４３４、および／またはこの本体の端面４２８と係合しても係合しなくてもよい。
【００４２】
取付具４００ｃが組み立てられる場合、アダプタリング４５０ｃの尾部４８２ｃの止め表面４８６は、金輪３０２ｃの後部壁３２４ｃの止め表面４８０と係合する。同時に、アダプタリング４５０ｃの前面４６２ｃは、本体４２０の端面４２８と係合する。その結果、アダプタリング４５０ｃの外側部分４５２ｃおよび金輪３０２の後部壁３２４ｃは、一緒になって、本体４２０に向かう方向でのナット４４０の移動を制限するための、止めとして働く。これは、トルク感知を提供して、取付具４００ｃの十分な止めを確実にし得る。
【００４３】
図５は、チューブ４１０を取り付け具本体４２０に連結する際に使用するための、チューブ取付具４００ｄを図示する。取付具本体４２０は、１２°のカム表面４３０を有し、このカム表面は、カム口４３２を規定する。取付具４００ｄは、駆動ナット４４０を備える。取付具４００ｄはまた、アダプタリング４５０ｄおよび金輪３０２ｄを備える。
【００４４】
アダプタリング４５０ｄは、延長したノーズ４９０を有し、このノーズは、カム口４３２内にフィットする。ノーズ４９０は、鋭利な縁部４９２を有し、この縁部は、組み立ての際に、カム表面４３０に突き立てられ、アダプタリング４５０ｄと取付具本体４２０との間に密封を提供する。金輪３０２ｄは、比較的小さいノーズ４９６を有し、このノーズは、アダプタリング４５０ｄの、比較的小さい４５°のカム口４９４の内側にフィットする。金輪３０２ｄは、アダプタリング４５０ｄの４５°の後端またはカム口４９４に対して密封し、そしてチューブ４１０を把持する。
【００４５】
取付具４００ｄは、内部に据え付けられた能動止めを有さない。その代わりに、取付具４００ｄは、ナットの所定の回数の回転によって止まるように設計され、それによって、この取付具の十分な止めを確実にする。
【００４６】
図６は、チューブ４１０を取付具本体４２０に連結する際に使用するための、チューブ取付具４００ｅを図示する。取付具４００ｅは、駆動ナット４４０を備える。取付具４００ｅはまた、これらの図示される異なるアダプタリング５００、５０２、および５０４のうちの１つ、ならびに３個の図示される異なる金輪５１０、５１２および５１４のうちの１つを備える。その結果、図示される部品の、９つの可能な組み合わせが存在する。
【００４７】
１つのアダプタリング５００は、長く、薄いノーズ５２０を有し、このノーズは、カム口４３２内にフィットする。ノーズ５２０は、鋭利な縁部５２２を有し、この縁部は、このカム表面に付きたてられて、アダプタリング５００と取付具本体４２０との間に、密封を提供する。ノーズ５２０は、長くて薄いので、このノーズは、取付具４００ｄが組み立てられる場合に、取付具本体４２０を膨れさせる傾向が低い。
【００４８】
アダプタリング５０４は、逆に、より短く、そしてより厚いノーズ５２４を有し、このノーズは、アダプタリングと取付具本体４２０との間を密封する。アダプタリング５０４のノーズ５２４は、短く、そして断面が厚いので、負荷の影響下で、軸方向圧縮に対して、より大きい抵抗を有する。図示される、中間のアダプタリング５０２の質は、リング５００とリング５０４との間の質である。これら３個のノーズの設計は、ノーズの長さおよび厚さが可変であること、ならびに設計者は、これらの間で選択し得るか、または異なる長さおよび厚さを有するノーズを選択し得ることを示すために、図示されている。
【００４９】
取付具４００ｅは、内部に据え付けられる能動止めを有する。これは、トルク感知を提供して、この取付具の十分な止めを確実にし得る。具体的には、ナット４４０は、アダプタリング５００〜５０４の底に達するように設計される。図６に図示される、３つの異なる金輪５１０から５１４は、異なる長さおよび異なる高さを有し、従って、ナット４４０がアダプタリング５００〜５０４の後部に達するまでに、このナットが、異なる量で移動することを可能にする。３つの金輪設計５１０〜５１４は、この金輪の大きさが可変であること、および設計者は、これらの間から選択し得るか、または異なる寸法を有する金輪を選択し得ることを示すために、図示されている。アダプタリングの選択は、この本体を膨らませることなく、同時に負荷の影響下での軸方向の圧縮に抵抗しながら、このカム口に対する密封を効果的に作製するものに依存する。この金輪の選択は、このナットがアダプタリングの後側に対して止まる時点までに、このチューブ内でこの金輪を把持させることが、どの程度まで望まれるかに依存する。
【００５０】
上記のように、この金輪は、チューブを把持して、このチューブが、取付具本体におけるチューブソケットから外れることを防止する。高圧下で、かなりの量のひずみが、このチューブに与えられ得る。このことは、このチューブ、およびこのチューブに取り付けられるかまたはこのチューブを把持する任意の構成要素に対する、軸方向外向きの方向の力として明らかである。このチューブに対する十分なひずみは、アダプタリングに伝達される場合、このアダプタリングとこの本体との間の密封を破壊し得るか、または減少させ得る。このことが起こることを防止することが、好ましい。
【００５１】
図７に概略的に図示されるように、アダプタリング５３２のノーズ５３０（すなわち、カム表面５３４の半径方向内側に位置する部分）は、丸い先端５３６を有し得る。このことは、高圧下で、チューブのひずみがアダプタリングに伝達されることを回避することを補助する。
【００５２】
第二の様式で、アダプタリングのノーズ（すなわち、カム表面の半径方向内側の部分）は、図８に概略的に図示されるように、半径方向外向きに、チューブの外側表面から離れるように、傾斜され得るかまたは面取りされ得る。図８に示されるアダプタリング５４０は、このリングの後方からこのリングの先端に向かう方向で測定される場合に、半径方向外向きにテーパ状である、内側傾斜表面または面取り５４２を有するように図示される。
【００５３】
第三に、このアダプタリングのノーズは、図９に示されるアダプタリング５４４によって概略的に図示されるように、丸く、かつ傾斜し得る。
【００５４】
これらの様式または別の様式で、アダプタリングがこのように構成されると、高圧下で、このチューブは、自由に動き得、そして外向きにひずみ得る。他の実施例として、楕円形の端部分が提供され得るか、またはこのノーズ部分は、穴を空けることによって破壊されて、例えば、所望の鋭利でない構成を、アダプタリングのノーズ部分または端部分に提供し得る。テーパと湾曲表面との組み合わせもまた、可能である。図７〜９に示されるアダプタリング、および本明細書中に記載されるようなアダプタリングの特徴は、図示される全てのアダプタリングに、等しく適用され得る。止める間、このアダプタリングの内側前部がこのチューブと接触する場合、この部分は、このチューブの表面に対して負のすくい角で、すなわち、このチューブ表面と、このアダプタリングの内側前部の表面との間が鋭角で、接触する。
【００５５】
図１０および図１１は、本発明の２つの更なる実施形態を示す。図１０は、チューブ取付具５９０を図示し、この取付具は、チューブ５９６の端部を受容するためのチューブソケット５９４を有する取付具本体５９２、金輪５９８、およびアダプタリング６００を備える。アダプタリング６００は、テーパ状の丸い先端６０２を有するように図示される。
【００５６】
図１１は、金輪が２つのチューブ取付具５６０を図示し、この取付具は、チューブ５６８の端部５６６を受容するチューブソケット５６４を有する、取付具本体５６２を備える。ナットの形態の原動節５７０が、取付具本体５６２に連結されて、後方金輪５７２、前方金輪５７４、およびアダプタリング５７６を駆動する。アダプタリング５７６は、ノーズ部分５７８を有し、このノーズ部分は、取付具本体５６２の、比較的浅い、１２°〜２０°のテーパ状の表面５８２に対して密封する。アダプタリング５７６は、背面５８４を有し、この背面は、比較的浅くない（約３０°〜約４５°の範囲の）カム表面を形成し、このカム表面は、前方金輪５７４のノーズ部分によって、係合される。後方金輪５７２は、前方金輪５７４とナット５７０との間に捕捉される。取付具５６０の組み立ての際に（図示せず)、前方金輪５７４と後方金輪５７２との両方が、チューブ５６８を把持し、そして密封する。この実施形態および図１０の実施形態において、この取付具の十分な止めは、トルク感知または別の様式で（例えば、ナットの回転数によって決定される場合、ナットの十分な軸方向行程を確実にすることによって）確実にされ得る。
【００５７】
図１２は、本発明に従うアダプタリングの、高圧下での自己エネルギー付与効果を図示する。図示されるリングは、アダプタリング４５０ｃであり、このリングは、上で図４に関連して議論されている。非常に高い圧力下で、チューブ４１０は、取付具本体４２０内のチューブソケットの引き出しを開始し得る。これが起こるにつれて、金輪３０２ｃは、チューブ４１０の材料により深く食い込み、このチューブの引き抜きに抵抗し、そしてより良好に密封する。圧力下の流体は、チューブ４１０の半径方向外側およびアダプタリング４５０ｃの半径方向内側に位置する、環状の空洞に流入する。この流体の圧力は、アダプタリング４５０ｃを、チューブ４１０から強制的に離すように働く。アダプタリング４５０ｃのノーズ部分４５４ｃは、取付具本体４２０のカム表面４３０に対して、より強く押し付けられる。アダプタリング４５０ｃはまた、金輪３０２ｃに対して、より強く押される。その結果、アダプタリング４５０ｃの密封能力が、チューブ４１０内の増加した圧力に起因して、増加する。
【００５８】
上記本発明の説明から、当業者は、本発明における改善、変更および修正を予測する。当該分野の技術範囲内の、このような改善、変更および修正は、添付の特許請求の範囲の範囲内に含まれることが、意図される。
【図面の簡単な説明】
【００５９】
【図１】図１は、アダプタリングを備える単一金輪のチューブ取付具についての、本発明の実施形態である。
【図２】図２は、アダプタリングを備える、図１と類似の別の実施形態である。
【図３】図３は、アダプタリングを備える、図１と類似の別の実施形態である。
【図４】図４は、アダプタリングを備える、図１と類似の別の実施形態である。
【図５】図５は、アダプタリングを備える、図１と類似の別の実施形態である。
【図６】図６は、アダプタリングを備える、図１と類似の別の実施形態である。
【図７】図７は、本発明の他の実施形態である、アダプタリングの一部分の概略図である。
【図８】図８は、本発明の他の実施形態である、アダプタリングの一部分の概略図である。
【図９】図９は、本発明の他の実施形態である、アダプタリングの一部分の概略図である。
【図１０】図１０は、単一金輪のチューブ取付具と共に使用される、別のアダプタリングを図示する。
【図１１】図１１は、金輪が２つのチューブ取付具と共に使用される、アダプタリングを図示する。
【図１２】図１２は、本発明のチューブ取付具の自己エネルギー付与効果を図示する。
【図１】
2007510871.tif 000003
【図２】
2007510871.tif 000004
【図３】
2007510871.tif 000005
【図４】
2007510871.tif 000006
【図５】
2007510871.tif 000007
【図６】
2007510871.tif 000008
【図７】
2007510871.tif 000009
【図８】
2007510871.tif 000010
【図９】
2007510871.tif 000011
【図１０】
2007510871.tif 000012
【図１１】
2007510871.tif 000013
【図１２】
2007510871.tif 000014
【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
チューブの端部との接続のためのチューブ取付具であって、該チューブ取付具は、以下：
該チューブの端部を受容するためのチューブソケットを有する取付具本体であって、該取付具本体は、テーパ状の表面を備え、該テーパ状の表面は、該取付具本体の軸上で中心合わせされ、該テーパ状の表面は、該軸に対して、第一の角度で延びる、取付具本体；
前部および後部を有する金輪；
アダプタリング；ならびに
原動節であって、該原動節は、該金輪の後部に軸方向の力を付与して、該金輪の前部を移動させ、該アダプタリングと係合させるためのものである、原動節、
を備え、
該アダプタリングは、カム表面を有し、該カム表面は、該金輪の前部による係合のために、該軸に対して第二の角度で延び；
該アダプタリングは、該取付具が組み立てられると、該取付具本体と密封状態で係合し；
該アダプタリングは、該チューブに対して負のすくい角を有する前方内側部分を有する、
チューブ取付具。
【請求項２】
前記アダプタリングと前記取付具本体との密封状態での係合が、金属と金属との係合である、請求項１に記載のチューブ取付具。
【請求項３】
チューブの端部との接続のためのチューブ取付具であって、該チューブ取付具は、以下：
該チューブの端部を受容するためのチューブソケットを有する取付具本体であって、該取付具本体は、テーパ状の表面を備え、該テーパ状の表面は、該取付具本体の軸上で中心合わせされ、該テーパ状の表面は、該軸に対して第一の角度で延びる、取付具本体；
前部および後部を有する金輪：
アダプタリング；ならびに
原動節であって、該原動節は、該金輪の後部に軸方向の力を付与して、該金輪の前部を移動させ、該アダプタリングと係合させるためのものである、原動節、
を備え、
該アダプタリングは、該軸に対して第二の角度で延びるカム表面を有し、該第二の角度は、該第一の角度とは異なり；
該アダプタリングは、該取付具本体の該テーパ状の表面から間隔を空けた密封位置において該取付具本体と係合するための、シーリング表面を有する、
チューブ取付具。
【請求項４】
前記取付具本体の前記密封位置が、該取付具本体の端面である、請求項３に記載のチューブ取付具。
【請求項５】
管の端部と流体密接続するための取付具であって、該取付具は、以下：
該管の該端部を中心軸に沿って受容する取付具本体；
該取付具が止まる場合に、該取付具本体と密封状態で係合するアダプタであって、該アダプタは、該取付具が止まる前に該管から半径方向に離れる内向きにテーパ状の前端部、およびカム表面を規定する後部を有する、アダプタ；
該カム表面と係合する金輪であって、これによって、該取付具が止まる場合に、該カム表面は、該金輪の前部を、該管と把持係合させる、金輪、
を備え；
該アダプタは、該管が該アダプタに対して軸方向に移動することを可能にしながら、該取付具本体と密封状態で係合したままである、取付具。
【請求項６】
前記取付具が組み立てられる場合に、前記内向きにテーパ状の前端部が、前記管から半径方向に間隔を空ける、請求項５に記載の取付具。
【請求項７】
前記取付具が組み立てられる場合に、前記内向きにテーパ状の前端部が、前記管と接触する、請求項５に記載の取付具。
【請求項８】
前記内向きにテーパ状の前端部が、面取りを備える、請求項５に記載の取付具。
【請求項９】
前記前端部が、丸い先端部を備える、請求項８に記載の取付具。
【請求項１０】
前記内向きにテーパ状の前端部が、前記管の外側表面から半径方向に離れるように、前記後部から前記前部に向かう方向でテーパ状である、請求項５に記載の取付具。
【請求項１１】
前記前端部が、半径を有する、請求項５に記載の取付具。
【請求項１２】
前記内向きにテーパ状の前端部が、半径を有し、そして前記管の外側表面から半径方向に離れるように、前記後部から前記前部に向かう方向でテーパ状である、請求項５に記載の取付具。
【請求項１３】
前記取付具本体が、テーパ状のソケットを規定し、該ソケットが、前記取付具の長手方向軸に対して約１２°または約２０°の角度を形成する、請求項５に記載の取付具。
【請求項１４】
外側管表面を有する管の端部と接続するための取付具であって、該取付具は、以下：
該管の該端部を受容するための管ソケットを有する取付具本体であって、該取付具本体は、テーパ状の表面を備え、該テーパ状の表面は、該取付具本体の軸上で中心合わせされ、該テーパ状の表面は、該軸に対して第一の角度で延びる、取付具本体；
前部および後部を有する金輪；
アダプタリング；ならびに
原動節であって、該原動節は、該金輪の後部に軸方向の力を付与して、該金輪の前部を該アダプタリングと係合させるように移動させる、原動節、
を備え；
該アダプタリングは、該軸に対して第二の角度で延びるカム表面を有し、該カム表面は、該金輪の前部による係合のためのものであり；
該取付具が組み立てられる場合に、該アダプタリングは、該取付具本体と密封状態で係合し；
該アダプタリングは、内向きにテーパ状の前端部を有し、該前端部は、該取付具が止まる前に、該管から半径方向に間隔を空けており、そして該取付具が止まる場合に、該管と接触し；
該アダプタは、該管が該アダプタに対して軸方向に移動することを可能にしながら、該取付具本体と密封状態で係合したままである、取付具。
【請求項１５】
前記アダプタリングと前記取付具本体との密封状態での係合が、金属と金属との係合である、請求項１４に記載の取付具。
【請求項１６】
前記アダプタリングが、丸みを帯びた先端を備える、請求項１４に記載の取付具。
【請求項１７】
外側表面を有する管のための取付具において使用するためのアダプタであって、該アダプタは、以下：
丸みを帯びた先端部および内側表面を有する前端部であって、該内側表面は、該管の外側表面から半径方向に離れるように、該アダプタの後部から該アダプタの前部に向かう方向でテーパ状である、前端部、
を備える、アダプタ。
【請求項１８】
前記アダプタが、該アダプタに対する前記管の相対的な軸方向移動を可能にするように構成されている、請求項１７に記載のアダプタ。
【請求項１９】
前記管が止まる場合に、前記テーパ状の内側表面が、該管の前記外側表面から間隔を空けるように、前記アダプタが構成されている、請求項１７に記載のアダプタ。
【請求項２０】
前記管が止まる場合に、前記テーパ状の内側表面が、該管の前記外側表面に接触するように、前記アダプタが構成されている、請求項１７に記載のアダプタ。
【請求項２１】
管の端部との接続のための取付具であって、該取付具は、以下：
第一の連結部材であって、該第一の連結部材は、該管の端部を受容するための管ソケットを有し、該第一の取付具本体は、テーパ状の表面を備え、該テーパ状の表面は、該第一の連結部材の軸上で中心合わせされ、該テーパ状の表面は、該軸に対して第一の角度で延びている、第一の連結部材；
前部および後部を有する金輪；
アダプタ；ならびに
第二の連結部材であって、該第一の金輪の後部に軸方向の力を付与して、該第一の金輪の前部を該アダプタと係合させるように移動させるための、第二の連結部材、
を備え；
該アダプタは、該軸に対して第二の角度で延びるカム表面を有し、該第二の角度は、該第一の角度より大きく；
該アダプタは、該取付具が組み立てられる場合に、該第一の連結部材と密封状態で係合し；
該アダプタは、前方内側部分を有し、該前方内側部分は、該取付具が止まる前に、該管に対して鋭角を形成し、その結果、該取付具が止まる前に、該アダプタと該管との間の半径方向間隔が、該後部から該前部に向かう方向で増加している、取付具。
【請求項２２】
前記アダプタと前記取付具本体との密封状態での係合が、金属と金属との係合である、請求項２１に記載の取付具。
【請求項２３】
前記第一の角度が、約３０°以下である、請求項２１に記載の取付具。
【請求項２４】
前記第一の角度が、約１０°〜約１４°の範囲である、請求項２１に記載の取付具。
【請求項２５】
前記第一の角度が、１２°である、請求項２４に記載の取付具。
【請求項２６】
前記第一の角度が、約１８°〜約２２°の範囲である、請求項２３に記載の取付具。
【請求項２７】
前記第一の角度が、２０°である、請求項２６に記載の取付具。
【請求項２８】
前記第二の角度が、約４３°〜約４７°の範囲である、請求項２１に記載の取付具。
【請求項２９】
前記第二の角度が、４５°である、請求項２８に記載の取付具。
【請求項３０】
前記第一の角度が、１２°または２０°であり、そして前記第二の角度が、４５°である、請求項２１に記載の取付具。
【請求項３１】
前記第一の金輪と前記第二の連結部材との間の、第三の金輪をさらに備える、請求項２１に記載の取付具。
【請求項３２】
前記テーパ状の表面が、前記管ソケットに隣接している、請求項２１に記載の取付具。
【請求項３３】
前記アダプタの前記前方内側部分が、半径を有する、請求項２１に記載の取付具。
【請求項３４】
前記アダプタの前記前方内側部分が、面取りを備える、請求項２１に記載の取付具。
【請求項３５】
前記アダプタの前記前方内側部分が、半径および面取りを備える、請求項２１に記載の取付具。
【請求項３６】
管の端部との接続のための管取付具であって、該管取付具は、以下：
管ソケットを有する取付具本体であって、該管ソケットは、該管の該端部を受容するためのものであり、該取付具本体は、テーパ状の表面を備える、取付具本体；
前部および後部を有する金輪；
アダプタリング；ならびに
原動節であって、該原動節は、該金輪の後部に軸方向の力を付与して、該金輪の前部を該アダプタリングと係合させるように移動させるための、原動節、
を備え；
該アダプタリングは、該金輪の該前部による係合のためのカム表面を有し；
該アダプタリングは、該取付具本体の該テーパ状表面から間隔を空けた密封位置での、該取付具本体との係合のための密封表面を有する、管取付具。
【請求項３７】
前記取付具本体の前記密封位置が、該取付具本体の端面である、請求項３６に記載の管取付具。
【請求項３８】
前記取付具本体の前記端面が、前記軸に対して実質的に垂直に延び、そして前記原動節の方へと提供される、請求項３７に記載の管取付具。
【請求項３９】
前記取付具本体の前記密封位置が、該取付具本体の縁部である、請求項３６に記載の管取付具。
【請求項４０】
前記アダプタリングが、前方内側部分を有し、該前方内側部分は、該アダプタリングの後部から該アダプタリングの前部に向かう方向で、前記管から離れて延びるテーパを有する、請求項３６に記載の管取付具。
【請求項４１】
前記アダプタリングの前記前方内側部分が、半径および面取りを備える、請求項４０に記載の管取付具。
【請求項４２】
前記取付具本体が、前記アダプタリングによって密封状態の係合で係合される角部を有する、請求項３６に記載の管取付具。
【請求項４３】
前記アダプタリングが、ノーズ部分を有し、該ノーズ部分は、該テーパ状の表面から半径方向内向きに延び、そして該テーパ状の表面と、密封状態で係合する、請求項３６に記載の管取付具。
【請求項４４】
前記取付具本体が、半径方向に延びる後面を有し、そして前記アダプタリングが、半径方向に延びる前面を有し、該前面は、該取付具本体の該後面に対して密封する、請求項３６に記載の管取付具。
【請求項４５】
管の端部を取付具に接続する方法であって、該取付具は、連結部材、アダプタ、および金輪を備え、該方法は、以下：
ａ）該金輪を、該アダプタと強制的に係合させる工程；
ｂ）該管の端部を、該金輪で把持する工程；
ｃ）止める前に、該アダプタと該管の端部との間に、半径方向に次第に増加する空間を提供することによって、該管の端部の、該アダプタに対する相対的な軸方向運動を可能にする工程；
ｄ）該相対的な軸方向運動の間、該アダプタと該連結部材との間の密封状態での係合を維持する工程、
を包含する、方法。
【請求項４６】
前記半径方向に増加する空間の少なくとも一部が、前記取付具が止まった後に、前記アダプタと前記管との間に残っている、請求項４５に記載の方法。
【請求項４７】
前記半径方向に増加する空間の一部が、前記取付具が止まった後に排除される、請求項４５に記載の方法。
【請求項４８】
前記半径方向に増加する空間が、前記取付具が止まる間に排除される、請求項４５に記載の方法。
【国際調査報告】
2007510871.tif 000015
2007510871.tif 000016
2007510871.tif 000017